(57)【特許請求の範囲】
【請求項１】
クロージャ本体、クロージャ本体の開口部に装着される開口部用のパッキン、および、クロージャ本体に開閉自在に軸支された蓋とからなり、そのクロージャ本体と蓋との当接部の一部にグロメットが嵌着された幹線ケーブルを挿通する挿通口を形成した架空光通信ケーブル用クロージャにおいて、
前記挿通口は、
クロージャ本体側の開口部に形成されたほぼ半円状の切り欠き部と、
この切り欠き部の弧状部分の略中間に形成されて前記グロメットの片側部分を収納する挿通口片側部分と、
前記グロメットの残りの片側部分を収納する挿通口片側部分が形成されるとともに前記半円状切り欠き部を覆う形状に形成され、さらに自らの挿通口片側部分を含む外周部を一周する溝が形成されたクランプ片と、
このクランプ片の外周部を一周する溝内に装着されて全周にわたり配置され、装着時の上面レベルがクロージャ本体の開口部の縁のレベルと一致するエンドレスのパッキンと、
を有するものであり、
前記挿通口のクランプ片のパッキンおよびクロージャ本体の開口部の上側に、開口部用のパッキンがさらに配置されて、クロージャ本体と蓋とが開口部用のパッキンにより密着して閉じられることを特徴とする通過心線収納型の架空光通信ケーブル用クロージャ。
【請求項２】
請求項１記載の架空光通信ケーブル用クロージャにおいて、
クランプ片を本体に着脱自在に固定する固定手段を備えたことを特徴とする通過心線収納型の架空光通信ケーブル用クロージャ。
【請求項３】
請求項１または２記載の架空光通信ケーブル用クロージャにおいて、
クランプ片には位置決め孔が形成され、
クランプ片が当接される本体部には位置決めピンが形成され、
本体部の位置決めピンをクランプ片の位置決め孔に挿通させつつ配置して本体部に対してクランプ片を位置決めすることを特徴とする通過心線収納型の架空光通信ケーブル用クロージャ。
【発明の詳細な説明】
【０００１】
【発明の属する技術分野】
本発明は、通過心線収納型の架空光通信ケーブル用クロージャに関し、詳しくは幹線ケーブルの引出し口のシール構造の改良に関する。
【０００２】
【従来の技術】
架空光通信ケーブル用クロージャは、ケーブル心線の分岐接続と通過心線の処理を混在して行うものであり、通過心線すなわち幹線ケーブルを引き込む部分の構造は、図１１および図１２に示すように、本体31の側面に開閉可能な蓋32を備え、その開閉部分を利用して幹線ケーブルを挟圧・保持している。具体的には、本体31と蓋32との当接部に二分割したケーブル挿通口33を形成しておき、ここにスリット入りグロメット34に嵌着した幹線ケーブル35を装着していた。このとき、シールのためグロメット34の外周部には、自己融着性シーリングテープ36を巻き付けていた。なお、図中の37は、本体31と蓋32の当接部をシールするためのパッキンである。
【０００３】
【発明が解決しようとする課題】
ところで、幹線ケーブル35のシールのため自己融着性シーリングテープ36をグロメット34の外周部に巻き付けておくと、クロージャの内部点検等のために蓋32を開閉するたびに、シーリングテープ36の融着面が破断されてしまう。そのため、蓋32の開閉のたびに、グロメット34の部分にシーリングテープ36を新たに巻き付け直さなければならない煩わしさがあった。
【０００４】
【課題を解決するための手段】
そこで上記課題を解決するために、請求項１の発明は、
クロージャ本体、クロージャ本体の開口部に装着される開口部用のパッキン、および、クロージャ本体に開閉自在に軸支された蓋とからなり、そのクロージャ本体と蓋との当接部の一部にグロメットが嵌着された幹線ケーブルを挿通する挿通口を形成した架空光通信ケーブル用クロージャにおいて、
前記挿通口は、
クロージャ本体側の開口部に形成されたほぼ半円状の切り欠き部と、
この切り欠き部の弧状部分の略中間に形成されて前記グロメットの片側部分を収納する挿通口片側部分と、
前記グロメットの残りの片側部分を収納する挿通口片側部分が形成されるとともに前記半円状切り欠き部を覆う形状に形成され、さらに自らの挿通口片側部分を含む外周部を一周する溝が形成されたクランプ片と、
このクランプ片の外周部を一周する溝内に装着されて全周にわたり配置され、装着時の上面レベルがクロージャ本体の開口部の縁のレベルと一致するエンドレスのパッキンと、
を有するものであり、
前記挿通口のクランプ片のパッキンおよびクロージャ本体の開口部の上側に、開口部用のパッキンがさらに配置されて、クロージャ本体と蓋とが開口部用のパッキンにより密着して閉じられることを特徴とする。
【０００５】
請求項２の発明は、請求項１の発明において、クランプ片を本体に着脱自在に固定する固定手段を備えたことを特徴とする。
【０００６】
請求項３の発明は、請求項１または２の発明において、
クランプ片には位置決め孔が形成され、
クランプ片が当接される本体部には位置決めピンが形成され、
本体部の位置決めピンをクランプ片の位置決め孔に挿通させつつ配置して本体部に対してクランプ片を位置決めすることを特徴とする。
【０００７】
【発明の実施の形態】
以下、図に沿って本発明の実施形態を説明する。
図１は本発明の実施形態のクロージャの蓋を開けた状態の斜視図であり、図２は図１を開口部側から見た外観図であり、図３は図２の左側面図である。
これらの図において、１はクロージャ本体、２は本体１に開閉自在に軸支された蓋、３は本体１に支持されて心線を収納するトレイ、４は本体１の上部に設けられた吊り金具、５は吊り金具４が取り付けられるメッセンジャワイヤである。６は幹線ケーブル（通過ケーブル）の挿通口であり、グロメット７やクランプ片８等により構成される。この挿通口６は、本体１の前後にそれぞれ形成されている。また、９は分岐ケーブルが挿通されるブッシングである。
【０００８】
図４はクランプ片８を斜め上方からみた斜視図であり、図５はクランプ片８を斜め下方からみた斜視図である。図６はクランプ片８の上面図であり、図７はクランプ片８の下面図であり、図８は図６のＡ−Ａ線断面図である。図９はクランプ片８が取り付けられていない状態の本体１を示す斜視図である。これらの図に示されるように、単体のクランプ片８は横方向から見て、本体１側に形成された半円状の切り欠き部21を覆う形状に形成されており、その半円部の中間部にさらに半円状の切り欠きが形成されて、幹線ケーブル10の片側半分を保持する挿通部81が形成されている。
【０００９】
この挿通部81の両脇に凸曲面からなる当接部82が対称位置に形成されている。当接部82には、本体１との固定手段であるところのボルト27を挿通するための固定孔83が４本形成されている。さらに、固定孔83の内側の位置に、本体１に突設されている位置決めピン25が嵌合するための位置決め孔84が４本形成されている。また、クランプ片８には、一周にわたりパッキン装着用の溝85が形成されて、エンドレスのパッキン12が嵌着される。
【００１０】
また、本体１の相前後する開口部には、挿通口６を形成するために、図９に示されるように、クランプ片８に対応したほぼ半円状の切り欠き部21が形成され、その切り欠き部21の中間にさらに半円状に切り欠かれて、幹線ケーブル10の片側半分を保持する挿通部22が形成されている。挿通部22の両側には、凹曲面からなる当接部23が対称位置に形成されており、この当接部23にクランプ片８の当接部82が当接する。またこの当接部23には、クランプ片８を固定するボルト27を螺着するための雌ねじ24が４箇所形成されている。さらに、固定孔24の内側の位置に、位置決めピン25が４本突設されている。
【００１１】
次に、このクランプ片８を用いて、本体１に幹線ケーブルを取り付ける手順について説明する。先ず、幹線ケーブル10にスリット入りのグロメット７を嵌着し、そのグロメット７の外周に自己融着性のシーリングテープ11を巻き付ける。次いで、幹線ケーブル10とともにグロメット７を本体１の挿通部22に挿着する。この状態で、グロメット７の上半分は露出している。次に、この露出したグロメット７の上半分に、クランプ片８の挿通部81を押し当てる。
【００１２】
このとき、本体１側の位置決めピン25をクランプ片８側の位置決め孔84に嵌合させながら、この当接部23に、クランプ片８の当接部82を当接させる。次に、クランプ片８の固定孔83から本体１の雌ねじ24にボルト27を挿入して、クランプ片８を本体１に固定する。この状態で、クランプ片８の上部の溝85のパッキン12のレベルが、本体１の開口部の縁のレベルと一致する。それにより蓋２を閉じた場合に、挿通口６の存在とは無関係に、本体１と蓋２の開口部が互いに当接することが可能となる。
【００１３】
図１０は、挿通口６の部分のシールの構造を示すための断面図である。本体１の開口部分の一部が略半円状に切り欠かれており、この切り欠き部はクランプ片８により覆われ、このクランプ片８と本体１との間に、幹線ケーブル10が挿着されたグロメット７を収納する挿通口６が形成されている。グロメット７の外周には自己融着性のシーリングテープ11が巻き付けられるとともに、クランプ片８の外周部に形成されている溝85の中にエンドレスのパッキン12が装着されている。
【００１４】
このクランプ片８は、本体１にボルト27により固定される。こうしてクランプ片８が本体１側に固定されると、クランプ片８の上辺のパッキン12の上面レベルが、本体１の開口部のレベルとなり、その上に蓋２を当接させるためのパッキン13が保持される。すなわち、一旦、幹線ケーブル10を、挿通口６に装着すると、以後、蓋２を内部点検等のために開閉しても、グロメット７の外周に巻き付けられているシーリングテープ11が破断されることがないため、従来のように開閉のたびにシーリングテープ11を巻き付け直す作業が不要となり、その分、点検作業を短時間で終了することが可能となる。
【００１５】
【発明の効果】
以上述べたように本発明によれば、幹線ケーブルは、本体とクランプ片に形成された挿通口に、グロメットを介して装着されるため、蓋の開閉の際は、クランプ片の直線部分が蓋と接離されることになる。それにより、グロメットの外周のシーリングテープは開閉のたびに破断されることがなくなって、クロージャの開閉のたびにシーリングテープを巻き付け直すことが不要となり、点検等の作業能率が向上する。
【図面の簡単な説明】
【図１】図１は本発明の実施形態のクロージャの斜視図である。
【図２】図１を開口部側から見た外観図である。
【図３】図２の左側面図である。
【図４】図１のクランプ片を斜め上方からみた斜視図である。
【図５】図１のクランプ片を斜め下方からみた斜視図である。
【図６】図１のクランプ片の上面図である。
【図７】図１のクランプ片の下面図である。
【図８】図６のＡ−Ａ線断面図である。
【図９】開状態の本体を示す斜視図である。
【図１０】挿通口部分のシールの構造を示す断面図である。
【図１１】従来例を示す斜視図である。
【図１２】従来例を示す断面図である。
【符号の説明】
１  クロージャ本体
２  蓋
３  トレイ
４  吊り金具
５  メッセンジャワイヤ
６  挿通口
７  グロメット
８  クランプ片
９  ブッシング
10  幹線ケーブル
11  シーリングテープ
12,13   パッキン
21  切り欠き部
22  挿通部
23  当接部
24  雌ねじ
25  位置決めピン
27  ボルト
81  挿通部
82  当接部
83  固定孔
84  位置決め孔
85  溝
【図１】
0004189982.tif 000002
【図２】
0004189982.tif 000003
【図３】
0004189982.tif 000004
【図４】
0004189982.tif 000005
【図５】
0004189982.tif 000006
【図６】
0004189982.tif 000007
【図７】
0004189982.tif 000008
【図８】
0004189982.tif 000009
【図９】
0004189982.tif 000010
【図１０】
0004189982.tif 000011
【図１１】
0004189982.tif 000012
【図１２】
0004189982.tif 000013